(57)【要約】【課題】エアフィルターの定期的な清掃の煩わしさを解消し、常に良好な送風状態を確保する。【解決手段】空気調和機の熱交換器と吸込口との間に、フィルター枠と、エアフィルターと、塵埃を吸入する移動可能な複数の吸入ノズルと、前記複数の吸入ノズルに吸い込みダクトを設け、さらに前記吸い込みダクトに連結する吸引排気装置と、塵埃を室外に排気する排気ダクトとを具備したフィルター装置を設けたことを特徴とする空気調和機。【選択図】図１
2008256359.tif 000002
【特許請求の範囲】
【請求項１】
空気調和機の熱交換器と吸込口との間にフィルター装置を設け、このフィルター装置は、フィルター枠と、エアフィルターと、前記エアフィルターの表面に付着した塵埃を吸入口より吸入する吸入ノズルと、前記吸入ノズルに設けた吸い込みダクトと、前記吸い込みダクトに連結した吸引排気装置と、塵埃を室外に排気する排気ダクトを備え、前記フィルター装置の吸入ノズルはその一端を前記吸い込みダクトに接続し、かつ前記吸入ノズルには複数の開口部を設け、前記開口部は前記エアフィルターのフィルター幅の略全域、かつ清掃する方向に直角に位置することを特徴とする空気調和機。
【発明の詳細な説明】
【技術分野】
【０００１】
本発明は、自動清掃が可能なフィルター装置を備えた空気調和機に関するものである。
【背景技術】
【０００２】
従来の空気調和機は、図８及び図９に示すように熱交換器１１の前面に、空気調和機の本体内部へ塵埃が侵入することを防ぐためのエアフィルター６が設けられており、このエアフィルター６は、付着した塵埃を手で清掃できるように着脱自在に構成されている。
【０００３】
一方、空気調和機には、エアフィルターの清掃手段として、回転ブラシと、ブラシカバーと、前記回転ブラシに同軸に設けられるピニオンからなるフィルターブラシが構成されているものが知られている（例えば特許文献１参照）。
【０００４】
また、捕集装置と、清浄装置と、吸込み機構と、前記吸込み機構に繋がる担持ビームと、前記担持ビームに接続されたホースと真空発生器などで構成されているものが知られている（例えば特許文献２参照）。
【０００５】
また、ベルト状のフィルターを張設した駆動軸及び従動軸と、サーボモータと、ブラシと、排気管に配設された塵埃センサー及びファンと、前記フィルターの連続使用時間を算出する演算処理手段と、制御手段とが構成されているものが知られている（例えば特許文献３参照）。
【特許文献１】特開平１１−２２６３３１号公報（第２頁、第１〜４図）
【特許文献２】特開平１−７５０２０号公報（第１〜９頁、第４図）
【特許文献３】特開平６−７４５２１号公報（第２頁、第１図）
【発明の開示】
【発明が解決しようとする課題】
【０００６】
しかしながら、上記従来のフィルターの構成では、空気調和機の使用頻度に応じて空気調和機より取り外し、水洗いもしくは掃除機などで付着した塵埃を掃除するという周期的なメンテナンスを要する。また、周期的なメンテナンスが成されなかった場合、エアフィルターに塵埃が堆積し吸込み空気の通気抵抗が増大するため空気調和機の性能が低下、消費電力が増大するという課題があった。
【０００７】
また、動作手段に制約があったり、集塵後の塵埃処理の手間が発生するなどして確実な手段ではなかった。
【０００８】
また、動作手段に制約があったり、本体サイズが拡大化するなどの課題を有した。
【課題を解決するための手段】
【０００９】
前記従来の課題を解決するため、本発明の空気調和機は、空気調和機の熱交換器と吸込口との間にフィルター装置を設け、このフィルター装置は、フィルター枠と、エアフィルターと、前記エアフィルターの表面に付着した塵埃を吸入口より吸入する吸入ノズルと、前記吸入ノズルに設けた吸い込みダクトと、前記吸い込みダクトに連結した吸引排気装置と、塵埃を室外に排気する排気ダクトを備え、前記フィルター装置の吸入ノズルはその一端を前記吸い込みダクトに接続し、かつ前記吸入ノズルには複数の開口部を設け、前記開口部は前記エアフィルターのフィルター幅の略全域、かつ清掃する方向に直角に位置するとしている。
【００１０】
上記構成により、エアフィルターの清掃を自動的に、且つ確実に行うことが可能となり、空気調和機の性能維持、及び消費電力の増大防止を図ることができる。
【発明の効果】
【００１１】
本発明の空気調和機においては、エアフィルターの清掃を自動的に、且つ確実に行うことが可能になり、空気調和機の性能維持、及び消費電力の増大防止を図ることができるという効果を奏する。
【発明を実施するための最良の形態】
【００１２】
第１の発明は、空気調和機の熱交換器と吸込口との間にフィルター装置を設け、このフィルター装置は、フィルター枠と、エアフィルターと、前記エアフィルターの表面に付着した塵埃を吸入口より吸入する吸入ノズルと、前記吸入ノズルに設けた吸い込みダクトと、前記吸い込みダクトに連結した吸引排気装置と、塵埃を室外に排気する排気ダクトを備え、前記フィルター装置の吸入ノズルはその一端を前記吸い込みダクトに接続し、かつ前記吸入ノズルには複数の開口部を設け、前記開口部は前記エアフィルターのフィルター幅の略全域、かつ清掃する方向に直角に位置する構成とすることにより、空気調和機に、吸塵性能に優れた、自動清掃可能なフィルター装置を設けることができ、性能維持、及び消費電力の増大防止を図ることができる。
【００１３】
以下に、本発明の実施の形態について、図面を参照しながら説明する。
【００１４】
（実施の形態１）
図１は本発明の実施の形態１におけるフィルター装置の斜視図、図２、３は本発明の実施の形態１における吸入ノズルの外観図、図４は空気調和機の正面図、図５、図６は本発明の実施の形態１における空気調和機の断面図である。
【００１５】
空気調和機本体１３の内部には、熱交換器１１とファン１２が配設されており、本体１３の前面から上面に渡り形成される複数の吸込口（図示せず）からは、ファンの動作により空気が吸い込まれ、これらの空気中に漂う塵埃は、前記吸込口と熱交換器１１との間に設けたフィルター装置１で取り除かれる。
【００１６】
このフィルター装置１は、フィルター枠２と、エアフィルター６と、移動可能な吸入ノズル５と、吸入ノズル５に吸い込みダクト３を設け、さらに吸い込みダクト３に連結する吸引排気装置７と排気ダクト８とから構成したものである。ここで、吸入ノズル５は吸入ノズル５の移動方向に対し２本並べた形態で配設し、それぞれに第一吸入口５ａ１、第二吸入口５ａ２を設けている。第一吸入口５ａ１はエアフィルター６の前面部に相対する位置に、第二吸入口５ａ２はエアフィルター６の上面部に相対する位置に開口している。そして、前記吸入ノズル５は図１から明らかなようにその一端、すなわち下端にのみ吸い込みダクト３が設けてある。
【００１７】
このように構成されたフィルター装置１の動作について説明する。空気調和機本体１３の運転停止後に、吸引排気装置７が運転開始し、吸い込みダクト３に設置された２本の吸入ノズル５に個々に設けた第一吸入口５ａ１、第二吸入口５ａ２から空気を吸い込み始める。そして、エアフィルター６の片側端に位置していた２本の吸入ノズル５が、駆動モータ１０に連結された駆動用ワイヤー９によって、図１に示すようにＡの矢印方向に移動し、エアフィルター６の表面に付着した塵埃を吸入ノズル５に設けた第一吸入口５ａ１、第二吸入口５ａ２から吸い取り、塵埃は吸い込みダクト３、吸引排気装置７を通り、排気ダクト８から室外へ吐き出される。
【００１８】
ここで、吸入ノズル５がエアフィルター６の表面を全面清掃し、対向する片側端まで移
動したときに駆動モータ１０を逆回転させれば、吸入ノズル５は初期の位置に戻る方向に移動して、もう一度エアフィルター５の表面を清掃することが可能となる。
【００１９】
前述のように、２本の吸入ノズル５を設けて吸入口を分割することで、吸入ノズル１本当りの吸入口の開口面積を小さくすることができるため、吸入口を通過する吸込み空気の速度が増して、吸引力を上げることができる。このため、エアフィルター６の表面に付着した塵埃をより確実に吸引することが可能となる。
【００２０】
本実施の形態では、２本構成の吸入ノズル５を設けたが、場合によっては、２本以上の構成としてもよい。また、図２、図３に示したように、１本の吸入ノズル５において、吸入通路５ｃを分割し、それぞれの吸入通路５ｃに吸入口を設けても構わない。
【００２１】
そして、この実施の形態によれば、空気調和機に、吸塵性能に優れた、自動清掃可能なフィルター装置を設けることができ、性能維持、及び消費電力の増大防止を図ることができる。
【００２２】
（実施の形態２）
図７は本発明の実施の形態２を説明した図である。
【００２３】
分割した吸入通路５ｃに個々に設けた吸入口５ａ１、５ａ２を、吸入ノズル５の移動方向に対して直交する方向に、隙間なく、もしくはオーバーラップさせて配列（δ≧０）することで、エアフィルター６の表面に付着している塵埃を残すことなく吸引することができる。このためエアフィルター６をより確実に清掃することが可能となる。尚、エアフィルター６に付着した塵埃を、第一吸入口５ａ１と第二吸入口５ａ２とから交互に吸引させるため、吸入通路５ｃを交互に開閉できる、通路切替手段を設けてもかまわない。
【図面の簡単な説明】
【００２４】
【図１】本発明の実施の形態１におけるフィルター装置の斜視図
【図２】本発明の実施の形態１におけるフィルター装置の吸入ノズルの外観図
【図３】本発明の実施の形態２におけるフィルター装置の吸入ノズルの外観図
【図４】本発明の実施の形態１における空気調和機の正面図
【図５】図４のＩ−Ｉ断面における断面図
【図６】図４のＩＩ−ＩＩ断面における断面図
【図７】本発明の実施の形態２におけるフィルター装置の吸入ノズルの外観図
【図８】従来例を示す空気調和機の正面図
【図９】図８のＩＩＩ−ＩＩＩ断面における断面図
【符号の説明】
【００２５】
１  フィルター装置
２  フィルター枠
３  吸い込みダクト
５  吸入ノズル
５ａ１  第一吸入口
５ａ２  第二吸入口
５ｃ  吸入通路
６  エアフィルター
７  吸引排気装置
８  排気ダクト
９  駆動用ワイヤー
１０  駆動モータ
１１  熱交換器
１２  ファン
１３  本体
【図１】
2008256359.tif 000003
【図２】
2008256359.tif 000004
【図３】
2008256359.tif 000005
【図４】
2008256359.tif 000006
【図５】
2008256359.tif 000007
【図６】
2008256359.tif 000008
【図７】
2008256359.tif 000009
【図８】
2008256359.tif 000010
【図９】
2008256359.tif 000011